(57)【要約】【課題】装置を大型化しない簡易な構成で、パネルを傷つけることなく保持し又は取り出すことができる装置を提供すること。【解決手段】  複数のパネルを互いに近接させて配列し吊り下げた状態で保持するパネル吊り下げ装置Ａであって、装置本体１００からパネルの配列方向に延伸し、パネルを吊り下げる支持レール部２００と、支持レール部２００より下方においてパネルの配列方向に延伸し、装置本体１００に対して回動可能に軸支される回動軸３４０と、回動軸３４０に接続されて揺動する揺動軸３５０とを有する方形状の支持部材３００と、支持部材３００の揺動軸３５０に取り付けられた弾性部材３１０と、支持部材３００に設けられ、弾性部材３１０がパネル間に介在してパネル同士の当接を阻止する第１保持位置と、弾性部材３１０がパネルから離間する第１待避位置との間で操作可能であるように支持部材３００を回動操作するための操作部材３２０と、を有することを特徴とする。【選択図】図１
2008222301.tif 000002
【特許請求の範囲】
【請求項１】
複数のパネルを互いに近接させて配列し吊り下げた状態で保持するパネル吊り下げ装置であって、
装置本体から前記パネルの配列方向に延伸し、前記パネルを吊り下げる支持レール部と、
前記支持レール部より下方において前記パネルの配列方向に延伸し、前記装置本体に対して回動可能に軸支される回動軸と、当該回動軸に接続されて揺動する揺動軸とを有する方形状の支持部材と、
前記支持部材の揺動軸に取り付けられた弾性部材と、
前記支持部材に設けられ、前記弾性部材が前記パネル間に介在してパネル同士の当接を阻止する第１保持位置と、前記弾性部材が前記パネルから離間する第１待避位置との間で操作可能となるように前記支持部材を回動操作するための操作部材と、
を備えることを特徴とするパネル吊り下げ装置。
【請求項２】
前記弾性部材は、ブラシであることを特徴とする請求項１に記載のパネル吊り下げ装置。
【請求項３】
更に、前記支持部材に沿って設けられた中空円筒と、前記中空円筒に固定され、略等間隔に山部と谷部とが連続して形成された形状部を有し、前記パネルを前記谷部に係止することによって前記複数のパネルを互いに近接させて保持する間隔保持部と、前記間隔保持部に設けられ、前記形状部が起立して前記複数のパネルを互いに近接させて保持する第２保持位置と、前記形状部が倒れて前記谷部の前記パネルに対する係止が解かれる第２待避位置と、の間で前記間隔保持部を回動操作するための操作部と、を備えることを特徴とする請求項１に記載のパネル吊り下げ装置。
【請求項４】
前記支持レール部と、前記弾性部材及び前記操作部材が設けられた前記支持部材と、を有するパネル吊り下げ機構を、前記パネルの配列方向と略直交する方向に複数配置したことを特徴とする請求項１乃至３のいずれか１項に記載のパネル吊り下げ装置。
【発明の詳細な説明】
【技術分野】
【０００１】
本発明は、自動車のドアパネル等のパネル部品を吊り下げた状態で保持する装置に関するものである。
【背景技術】
【０００２】
プレス成形等により成形された複数のパネル部品をまとめて移送する場合に、複数のパネル部品を互いに近接して配列するために略等間隔に山部と谷部とが連続して形成されたパレットが用いられる。しかしながら、フォークリフト等でパレットを移送する際に、パネルが揺動してパネル同士が擦れてパネルの外観面に傷がついてしまうことがある。このため、パネル部品を移送する際の揺動を防止するための種々の技術が提案されている。
【０００３】
例えば、特許文献１には、電極板を吊下げ搬送する際に電極板の振れを抑制する技術であって、振れ止め体が起立する格納位置と水平に突出する振れ止め位置との間で揺動可能に保持される技術が開示されている。
【特許文献１】特開平８−１３１８０号公報
【発明の開示】
【発明が解決しようとする課題】
【０００４】
ここで、特許文献１で開示されている技術では、振れ止め体を格納位置と水平位置との間で揺動させるためにシリンダが用いられている。しかしながら、この構成では、シリンダにエアを供給する必要があるため、そのエアの供給タイミングを制御する制御装置等の付加的な機構が必要となる。また、パネルを収納するパレットは、工場内の限られたスペースに配置されるため、最小限の寸法で製作する必要がある。
【０００５】
本発明の目的は、装置を大型化しない簡易な構成で、パネルを傷つけることなく保持し又は取り出すことができる装置を提供することにある。
【課題を解決するための手段】
【０００６】
上記課題を解決し、目的を達成するため、請求項１に係る発明においては、複数のパネルを互いに近接させて配列し吊り下げた状態で保持するパネル吊り下げ装置であって、装置本体から前記パネルの配列方向に延伸し、前記パネルを吊り下げる支持レール部と、前記支持レール部より下方において前記パネルの配列方向に延伸し、前記装置本体に対して回動可能に軸支される回動軸と、当該回動軸に接続されて揺動する揺動軸とを有する方形状の支持部材と、前記支持部材の揺動軸に取り付けられた弾性部材と、前記支持部材に設けられ、前記弾性部材が前記パネル間に介在してパネル同士の当接を阻止する第１保持位置と、前記弾性部材が前記パネルから離間する第１待避位置との間で操作可能となるように前記支持部材を回動操作するための操作部材と、を備えることを特徴とするパネル吊り下げ装置が提供される。
【０００７】
請求項１に係る発明によれば、前記揺動軸に取り付けられた弾性部材が前記パネル間に介在してパネル同士の当接を阻止する第１保持位置と、前記パネルから離間する第１待避位置との間で揺動することができるため、前記装置を大型化しない簡易な構成で、パネルを傷つけることなく保持し又は取り出すことができる装置を提供することができる。
【０００８】
また、請求項２に係る発明においては、前記弾性部材には、ブラシを採用することができる。
【０００９】
請求項２に係る発明によれば、前記ブラシは自由に変形することができるため、パネル間に介在してパネルの揺動を抑制することができる。
【００１０】
また、請求項３に係る発明においては、更に、前記支持部材に沿って設けられた中空円筒と、前記中空円筒に固定され、略等間隔に山部と谷部とが連続して形成された形状部を有し、前記パネルを前記谷部に係止することによって前記複数のパネルを互いに近接させて保持する間隔保持部と、前記間隔保持部に設けられ、前記形状部が起立して前記複数のパネルを互いに近接させて保持する第２保持位置と、前記形状部が倒れて前記谷部の前記パネルに対する係止が解かれる第２待避位置と、の間で前記間隔保持部を回動操作するための操作部と、を備えていてもよい。
【００１１】
請求項３に係る発明によれば、前記パネルの吊り下げ間隔を確実に保持することができる。また、前記間隔保持部は、前記第２保持位置と前記第２待避位置との間で回動するため、簡易な構成でパネルを傷つけることなく保持し又は取り出すことができる。
【００１２】
また、請求項４に係る発明においては、前記支持レール部と、前記弾性部材及び前記操作部材が設けられた前記支持部材と、を有するパネル吊り下げ機構を、前記パネルの配列方向と略直交する方向に複数配置してもよい。
【００１３】
請求項４に係る発明によれば、前記パネル吊り下げ機構を複数有するため、前記パネルを確実に保持することができる。
【発明の効果】
【００１４】
本発明によれば、装置を大型化しない簡易な構成で、パネルを傷つけることなく保持し又は取り出すことができる装置を提供することができる。
【発明を実施するための最良の形態】
【００１５】
＜全体構成＞
図１は本発明の一実施形態に係るパネル吊り下げ装置Ａの全体斜視図、図２は図１で示すパネル吊り下げ装置Ａの上面図、図３は図１で示すパネル吊り下げ装置Ａの正面図、図４は図１で示すパネル吊り下げ装置Ａの側面図である。
【００１６】
パネル吊り下げ装置Ａは、複数のパネルを互いに近接させて配列し、吊り下げた状態で保持する装置であり、装置本体１００と、装置本体１００に設けられた支持レール部２００と、支持レール部２００の下方に設けられたブラシユニット３００（支持部材）と、支持レール部２００に隣接して設けられた間隔保持ユニット４００と、を備える。
【００１７】
装置本体１００は、中空角柱である複数の鉄製パイプを溶接等で接続して構成した直方体状の枠体であり、この枠体を構成し、鉛直方向に延伸する部材１０１には、部材１０２と、部材１０２の下方に配された部材１０３と、が片持ち支持されている。また、部材１０２と部材１０３との間には、部材１０４と、部材１０２及び部材１０３の先端部に配された部材１０５と、が鉛直方向に延伸し、両者を架橋して接続する。さらに、部材１０４及び部材１０５は、部材１０３の底面より下方に突出した突出部１０４ａ、１０５ａを有する。
【００１８】
また、装置本体１００は、パネルを搬入出する搬入出口１１０、底面１２０に敷設された平板部材１３０と、を備える。装置本体１００に搬入出口１１０を設け、底面１２０に平板部材１３０を敷設することによって、支持レール部２００に吊り下げられたパネルを取り出すために、作業者が装置本体１００内に進入して歩行することができる。
【００１９】
支持レール部２００は、装置本体１００の部材１０２の上面に取り付けられ、装置本体１００からパネルの配列方向に延伸し、パネルを吊り下げる平板部材である。また、支持レール部２００は、パネルの配列方向と直交する方向に、パネルのフランジ角度に合わせて、設置角度を調整することができる。
【００２０】
図５において、（ａ）はブラシユニット３００の全体斜視図、（ｂ）はブラシユニット３００の上面図、（ｃ）はブラシユニット３００の側面図、（ｄ）はブラシユニット３００の正面図である。ブラシユニット３００（支持部材）は、略方形状の枠体であり、支持レール部２００より下方である、突出部１０４ａと、突出部１０５ａとの間に、パネルの配列方向に延伸して取り付けられる。ブラシユニット３００は、ブラシ３１０と、操作部材３２０と、係止部材３３０（図１で記載）と、を備える。また、ブラシユニット３００は、回動軸３４０によって装置本体１００に対して回動可能に軸支され、回動軸３４０に接続された揺動軸３５０によって揺動可能である。
【００２１】
ブラシ３１０は、ブラシユニット３００の揺動軸３５０に取り付けられる。ブラシ３１０は、例えば、ナイロン製であってもよい。操作部材３２０は、ブラシ３１０がパネル間に介在してパネル同士の当接を阻止する位置（第１保持位置）と、ブラシ３１０がパネルから離間する位置（第１待避位置）との間で操作可能となるようにブラシユニット３００を回動操作するための部材である。係止部材３３０は、ブラシ３１０を倒した状態で部材３６０を係止する係止部材３３１（図１で記載）と、ブラシ３１０を起立させた状態で部材３６０を係止する係止部材３３２（図１で記載）と、を有する。
【００２２】
図６は、間隔保持ユニット４００の全体斜視図である。間隔保持ユニット４００は、中空円筒４１０と、間隔保持部４２０と、操作部４３０と、係止部材４４０（図１で記載）と、を備える。中空円筒４１０は、ブラシユニット３００に沿って設けられ、両端にスリット４１１を有する。間隔保持部４２０は、中空円筒４１０に固定され、略等間隔に山部４２１ａと谷部４２１ｂとが連続して形成された形状部４２１を有し、パネルを谷部４２１ｂに係止することによって複数のパネルを互いに近接させて保持する。なお、間隔保持ユニット４００を起立させた際には、間隔保持部４２０の谷部４２１ｂは、支持レール部２００よりも低い位置となるため、パネルの荷重はあくまで支持レール部２００によって支持される。このため、支持レール部２００にパネルが積載されている状態であっても、間隔保持部４２０には負荷が掛かっていないため、作業者は容易に間隔保持部２００を倒すことができる。また、同様の状態で間隔保持部２００を容易に起立させることも可能である。
【００２３】
操作部４３０は、間隔保持部４２０に設けられ、形状部４２１が起立して複数のパネルを互いに近接させて保持する位置（第２保持位置）と、形状部４２１が倒れて谷部４２１ｂのパネルに対する係止が解かれる位置（第２待避位置）と、の間で間隔保持部４２０を回動操作するためのものである。係止部材４４０は、間隔保持部４２０を起立させた状態で部材４５０を係止する。また、部材４６０には、スリット４１１の形状に対応した略方形の形状である突起部４６１を有する。すなわち、スリット４１１は、部材４６０の前後方向の動きをスリット４１１の端部４１１ａから端部４１１ｂの間に制限するものである。また、中空円筒４１０は、スリット４１１を有することにより、部材４６０の前後方向の動きと独立することができる。一方、中空円筒４１０は、部材４６０の回転動作には追従して動作する。従って、パネル吊り下げ装置Ａにパネルが積載されている状態で、部材４５０を係止部材４４０から解除する際には、間隔保持部４２０を動かさずに解除することができるため、パネルに傷をつけることがない。また、部材４６０は回転動作には追従するため、前後方向の動作が独立していても問題が生じない。
【００２４】
＜動作説明＞
次に、上述の構成を備えるパネル吊り下げ装置Ａの動作手順について説明する。図７乃至９は、パネル吊り下げ装置Ａの動作手順を説明するための図である。
【００２５】
まず、作業者がプレス工程でプレス成形されたパネルをパネル吊り下げ装置Ａに積み込む際には、ブラシユニット３００及び間隔保持ユニット４００を図７の状態にする。すなわち、作業者は、まず、ブラシユニット３００の操作部材３２０を持ち、操作部材３２０を部材３６０が部材１０４に係止されるまで手前に引き出し、その後、回動軸３４０を中心にして操作部材３２０を反時計回りに回転させることで上方に起立させ、その状態で操作部材３２０を奥に押し込むことで部材３７０を係止部材３３２に係止させる。また、作業者は、間隔保持ユニット４００の操作部４３０を持ち、操作部４３０を部材４６０の突起部４６１が中空円筒４１０のスリット４１１の端部４１１ａに係止されるまで手前に引き出し、その後、回動軸（中空円筒）４１０を中心にして操作部４３０を反時計回りに回転させることで上方に起立させ、その状態で操作部４３０を奥に押し込むことで部材４５０を係止部材４４０に係止させる。
【００２６】
次に、プレス工程でのパネル部品の生産、積み込みが完了し、パネル吊り下げ装置Ａをプレス工程から在庫置場や車体工程（溶接工程）までフォークリフト等で搬送する際には、ブラシユニット３００及び間隔保持ユニット４００を図８の状態にする。すなわち、作業者は、まず、ブラシユニット３００の操作部材３２０を持ち、操作部材３２０を部材３６０が部材１０４に係止されるまで手前に引き出し、その後、回動軸３４０を中心にして操作部材３２０を時計回りに回転させることで下方に倒し、その状態で操作部材３２０を奥に押し込むことで係止部材３３１に係止させる。なお、パネル吊り下げ装置Ａを搬送する際には、間隔保持ユニット４００は起立させた状態のままであるため、図７の状態から変化しない。
【００２７】
次に、車体工程への搬送が完了し、車体工程で作業者がパネルを取り出す際には、ブラシユニット３００及び間隔保持ユニット４００を図９の状態にする。すなわち、作業者は、まず、ブラシユニット３００の操作部材３２０を持ち、操作部材３２０を部材３６０が部材１０４に係止されるまで引き出し、その後、回動軸３４０を中心にして操作部材３２０を反時計回りに回転させることで上方に起立させ、その状態で操作部材３２０を奥に押し込むことで係止部材３３２に係止させる。また、作業者は、間隔保持ユニット４００の操作部４３０を持ち、操作部４３０を部材４６０の突起部４６１が中空円筒４１０のスリット４１１の端部４１１ａに係止されるまで手前に引き出し、その後、回動軸（中空円筒）４１０を中心にして操作部４３０を時計回りに回転させることで下方に倒し、その状態で操作部４３０を奥に押し込んでおく。なお、この状態は、部材４５０が係止部材４４０に係止されている状態ではないが、間隔保持部４２０は下方に倒れている状態なので、係止する必要がない。
【００２８】
以上述べた通り、本実施形態によれば、装置を大型化しない簡易な構成で、パネルを傷つけることなく保持し又は取り出すことができる装置を提供することができる。
【００２９】
なお、本実施形態では、ブラシユニット３００として、ブラシ３１０を用いることでパネルの揺動を抑制したが、パネルに傷をつけずに、揺動を抑制できるものであればこれに限定されるものではなく、例えば、スポンジやゴム等を用いてもよい。
【００３０】
また、本実施形態では、支持レール部２００と、ブラシ３００及び操作部材３２０が設けられたブラシユニット３００と、を有するパネル吊り下げ機構を、パネルの配列方向と略直交する方向に複数配置したが、１つだけ配置する構成であってもよい。
【図面の簡単な説明】
【００３１】
【図１】本発明の一実施形態に係るパネル吊り下げ装置Ａの全体斜視図である。
【図２】図１で示すパネル吊り下げ装置Ａの上面図である。
【図３】図１で示すパネル吊り下げ装置Ａの正面図である。
【図４】図１で示すパネル吊り下げ装置Ａの側面図である。
【図５】（ａ）はブラシユニット３００の全体斜視図、（ｂ）はブラシユニット３００の上面図、（ｃ）はブラシユニット３００の側面図、（ｄ）はブラシユニット３００の正面図である。
【図６】間隔保持ユニット４００の全体斜視図である。
【図７】パネル吊り下げ装置Ａの動作手順を説明するための図である。
【図８】パネル吊り下げ装置Ａの動作手順を説明するための図である。
【図９】パネル吊り下げ装置Ａの動作手順を説明するための図である。
【符号の説明】
【００３２】
Ａ  パネル吊り下げ装置
１００  装置本体
２００  支持レール部
３００  ブラシユニット
３１０  弾性部材
３２０  操作部材
３４０  回動軸
３５０  揺動軸
４００  間隔保持ユニット
【図１】
2008222301.tif 000003
【図２】
2008222301.tif 000004
【図３】
2008222301.tif 000005
【図４】
2008222301.tif 000006
【図５】
2008222301.tif 000007
【図６】
2008222301.tif 000008
【図７】
2008222301.tif 000009
【図８】
2008222301.tif 000010
【図９】
2008222301.tif 000011